(57)【要約】【課題】近年、身体に深達性を有する遠赤外線の放射体に炭素を利用し、８μｍ〜１５μｍ波長の放射が課題になっており、しかもガン細胞を撲滅する温度が４２℃との論説もある、特に、近年ガン治療法に温熱療法の効果が認められつつある。本考案の課題は、胴部温熱治療で身体に有害な老廃物を排出する発汗装置と患部治療を兼ね備えた装置を提案する。【解決手段】本考案の装置は、全身発汗装置として足元から首部までの体型に沿って形成したトルマリン含浸の防水性樹脂スーツを身体に装着し、その腹部に温熱治療装置として８μｍ〜１５μｍの遠赤外線放射のカーボン発熱体を使用し身体の局所、特に腹部を中心とする胴部の肌に接触し巻き付ける形で４０℃〜５０℃の温度を放射させ、患部の治療と共に全身に発汗効果をもたらす装置を提供する。この装置は従来になく、簡便な治療器として提供する。【選択図】図１
0003139970.tif 000002
【実用新案登録請求の範囲】
【請求項１】
身体の足部から首部までの体型に沿って形成した、トルマリン含浸の防水性樹脂スーツを身体に装着し、該スーツの胸部、腹部、肩部、腰部を覆う形の巻き付け型局所遠赤外線放射体を防水性外皮と表面外皮の構成内に内設し、面ファスナーを用い具備する、前記局所遠赤外線放射体は８μｍ〜１５μｍ範囲の遠赤外線波長を照射する可撓性カーボン発熱体又はカーボン系線面発熱体が使用され、コントローラーにより３０℃〜５０℃の範囲温度を局所身体に放射することで患部治療を行うと共に、前記防水性樹脂スーツ内全身が発汗効果をもたらしてなる遠赤外線局所温熱装置と全身発汗装置。
【請求項２】
身体の足部から首部までの体型に沿って形成した、トルマリン含浸の防水性樹脂スーツを身体に装着し、前記請求項１に記載の局所遠赤外線放射体を平坦にし、椅子又は畳み上に敷きつめ上面に寝た後、スーツの上から毛布等を掛けコントローラーにより３０℃〜５０℃の範囲温度で放射することによりスーツ内全身が発汗効果をもたらしてなる遠赤外線局所温熱装置と全身発汗装置。
【請求項３】
身体の足部から首部までの体型に沿って形成した、トルマリン含浸の防水性樹脂スーツを身体に装着した後、可撓性カーボン発熱体を内設した寝袋式構成の遠赤外線放射装置をコントローラーにより３０℃〜５０℃の温度で制御し全身を照射させることにより身体内患部の温熱治療並びに発汗作用による減量効果をもたらしてなる遠赤外線全身温熱装置と全身発汗装置。
【考案の詳細な説明】
【技術分野】
【０００１】      本考案は、身体の足部から首部までの体型に沿って形成したトルマリン含浸の防水性樹脂スーツを身体に装着し、身体の局所温熱装置に使用するカーボン発熱体から放射する８μｍ〜１５μｍの深達性の高い波長の遠赤外線温度４０℃〜４５℃で、患部治療をすると共に余熱及び体温がトルマリンを含む防水スーツを保温し、身体全身を遠赤外線による発汗作用をもたらす構成にしたことを特徴とした装置に関する。
【背景技術】
【０００２】      従来から、全身を発汗させる装置といえば、サウナ風呂、寝袋方式の電気装置、等はある。然し足から首まで体型に沿って形成し、しかも遠赤外線を放射するトルマリンを含浸させた防水樹脂スーツを身体に装着させた後、その胴体周辺に８μｍ〜１５μｍの波長を放射する遠赤外線温熱装置と、その余熱と体温とによって前記防水樹脂スーツ全面が４０分で発汗する構成のものは現在まで見ることはない。
【考案の開示】
【考案が解決しょうとする課題】
【０００３】      本考案は、遠赤外線による局所温熱効果と腹部周辺の脂肪の除去によるダイエット効果の外、全身の発汗をも促し老廃物を排出する効果をも目的としている。
【課題を解決するための手段】
【０００４】      可撓性カーボン発熱体であれば柔軟性があり身体に密着した温熱装置を作ることは可能である。又身体内部の患部に４０℃〜５０℃の温度を深達させる事も可能である。
本考案の如く、局所熱を利用し全身から発汗作用を起こす装置は便利であり画期的である。
【０００５】      請求項１の装置は、身体の足部から首部までの体型に沿って形成した、トルマリン含浸の防水性樹脂スーツを身体に装着し、該スーツの胸部、腹部、肩部、腰部を覆う形の巻き付け型局所遠赤外線放射体を防水性外皮と表面外皮の構成内に内設し、面ファスナーを用い具備する、前記局所放射体は８μｍ〜１５μｍ範囲の遠赤外線波長を照射する可撓性カーボン発熱体又はカーボン系線面発熱体が使用され、コントローラーにより３０℃〜５０℃の範囲温度を局所身体に放射することで患部治療を行うと共に、前記防水性樹脂スーツ内全身が発汗効果をもたらしてなる遠赤外線局所温熱装置と全身発汗装置である。
【０００６】      請求項２の装置は、身体の足部から首部までの体型に沿って形成した、トルマリン含浸の防水性樹脂スーツを身体に装着し、前記請求項１に記載の局所遠赤外線放射体を平坦にし、椅子又は畳み上に敷きつめ上面に寝た後、スーツの上から毛布を掛けコントローラーにより３０℃〜５０℃の範囲温度で放射することによりスーツ内全身が発汗効果をもたらしてなる遠赤外線局所温熱装置と全身発汗装置である。
【０００７】      請求項３の装置は、身体の足部から首部までの体型に沿って形成した、トルマリン含浸の防水性樹脂スーツを身体に装着した後、可撓性カーボン発熱体を内設した寝袋式構成の遠赤外線放射装置をコントローラーにより３０℃〜５０℃の温度で制御し全身を照射させることにより身体内患部の温熱治療並びに発汗作用によるスリム効果をもたらしてなる遠赤外線全身温熱装置と全身発汗装置である。
【考案の効果】
【０００８】      本考案の装置は、腹部、胸部、背筋部、腰部周辺の局所に、可撓性カーボン発熱体による深達性の高い８μｍ〜１５μｍの遠赤外線波長を放射させることで患部の治療は勿論可能であり、更に腹部周辺の脂肪を除去する効果を有する。
本装置の最大の特徴は、身体の足部から首部までの体型に沿って形成したトルマリン含浸の防水性樹脂スーツを身体に装着し、胴部等局所からの最高５０℃の放熱と、人体から放射する温度の悉くは遠赤外線の有効な波長を有し、４０分経過すれば全身が発汗作用を起こし老廃物の除去を行う。この装置は腹部に異常な脂肪がある方には脂肪除去効果がありスリムな体型にすることが可能である。又全身発汗装置として簡便でありサウナ装置のような大掛かりな装置は不必要で最も省エネ構造の上治療効果も高い。
【実施例１】
【０００９】      例えば図１は、椅子Ｃ利用で防水性樹脂スーツの全身発汗装置Ｂを装着し、その上面の胴回りに局所温熱装置Ａが取り付けられている斜面図である。局所温熱装置Ａからの電源コードには取り外しが簡単に出来るジョイントプラグＤからコントローラーＥがとりつけられ末端に電源差し込みプラグが取り付けられる。【００１０】      図２は腹部巻き付け式局所温熱装置Ａの斜面図である。構成は身体接触面Ｇに防水性樹脂を設け表面布地Ｈとの中にカーボン発熱体が内設されている。腹部中心部には治療器Ａを固定する面ファスナーＩ、Ｋがとりつけられている。更に表面布地Ｈには面ファスナーが先端にとりつけられたベルトＬ、Ｍが具備されている。
【産業上の利用可能性】
【００１１】      本考案の局所温熱装置は胴部周辺から４０℃〜５０℃の遠赤外線放射熱で患部を照射するため、ガン細胞を撲滅することも可能とされている。
本考案の更なる特徴は、局所温熱装置からの余熱と身体から放射する熱が防水性樹脂スーツに内設したトルマリンにより遠赤外線を放射し通電から約４０分で全身を発汗させる効果を有するため画期的なサウナ装置として提供する。
【図面の簡単な説明】
【００１２】
【図１】局所温熱装置と全身発汗装置の斜面図である。
【図２】腹部巻き付け式局所温熱装置の斜面図である。
【符号の説明】
【００１３】      Ａ…腹部巻き付け式局所温熱装置
Ｂ…防水性スーツの全身発汗装置
Ｃ…椅子
Ｄ…ジョイントプラグ
Ｅ…コントローラー
Ｆ…差し込みプラグ
Ｇ…防水性樹脂
Ｈ…表地
Ｉ、Ｊ…面ファスナー
Ｋ、Ｌ…固定ベルトと面ファスナー
【図１】
0003139970.tif 000003
【図２】
0003139970.tif 000004
【手続補正書】
【提出日】平成19年10月4日(2007.10.4)
【手続補正１】
【補正対象書類名】実用新案登録請求の範囲
【補正対象項目名】全文
【補正方法】変更
【補正の内容】
【実用新案登録請求の範囲】
【請求項１】
身体の足部から首部までの体型に沿って形成した、トルマリン含浸の防水性樹脂スーツを身体に装着し、該スーツの胸部、腹部、肩部、腰部を覆う形の巻き付け型局所遠赤外線放射体を防水性外皮と表面外皮の構成内に内設し、面ファスナーを用い具備する、前記局所遠赤外線放射体は８μｍ〜１５μｍ範囲の遠赤外線波長を照射する可撓性カーボン発熱体又はカーボン系線面発熱体が使用され、コントローラーにより３０℃〜５０℃の範囲温度を局所身体に放射することで患部治療を行うと共に、前記防水性樹脂スーツ内全身が発汗効果をもたらしてなる遠赤外線局所温熱装置と全身発汗装置。
【請求項２】
炭素系カーボン抵抗体で８μｍ〜１５μｍの遠赤外線波長を放射すると共に、２４Ｖの電圧で直流結線させて電磁波を発生させない構成にしたカーボン発熱体を採用し、前記請求項１の巻き付け型局所温熱装置に内設、又は寝袋構造に内設させ、コントローラーにより３０℃〜５０℃の温度を身体深部の患部に放射させる２４Ｖ用遠赤外線局所又は全身温熱装置と局所又は全身発汗装置。
【請求項３】
身体の足部から首部までの体型に沿って形成した、防水、保温性繊維スーツを身体に装着した後、１００Ｖ用可撓性カーボン発熱体を内設した寝袋式構成は遠赤外線放射装置となりコントローラーにより３０℃〜５０℃の温度で制御し全身を照射させることにより身体内患部の温熱治療並びに発汗作用による減量効果をもたらしてなる遠赤外線全身温熱装置と全身発汗装置。
【手続補正２】
【補正対象書類名】明細書
【補正対象項目名】０００６
【補正方法】変更
【補正の内容】
【０００６】請求項２の装置は、炭素系カーボン抵抗体で８μｍ〜１５μｍの遠赤外線波長を放射すると共に、２４Ｖの電圧で直流結線させて電磁波を発生させない構成にしたカーボン発熱体を採用し、前記請求項１の巻き付け型局所温熱装置に内設、又は寝袋構造に内設させ、コントローラーにより３０℃〜５０℃の温度を身体深部の患部に放射させる２４Ｖ用遠赤外線局所又は全身温熱装置と局所又は全身発汗装置である。
【手続補正３】
【補正対象書類名】明細書
【補正対象項目名】０００７
【補正方法】変更
【補正の内容】
【０００７】請求項３の装置は、身体の足部から首部までの体型に沿って形成した、防水、保温性繊維スーツを身体に装着した後、１００Ｖ可撓性カーボン発熱体を内設した寝袋式構成は遠赤外線放射装置となり、コントローラーにより３０℃〜５０℃の温度で制御し全身を照射させることにより身体内患部の温熱治療並びに発汗作用による減量効果をもたらしてなる遠赤外線全身温熱装置と全身発汗装置である。
【手続補正書】
【提出日】平成19年12月7日(2007.12.7)
【手続補正１】
【補正対象書類名】実用新案登録請求の範囲
【補正対象項目名】全文
【補正方法】変更
【補正の内容】
【実用新案登録請求の範囲】
【請求項１】
身体の胸部、腹部、腰部の胴体周辺を覆う形の巻き付け型局所遠赤外線放射体を、防水性外皮と表面外皮の構成内に内設し面ファスナーで固定する構成とし、該局所遠赤外線放射体は８μｍ〜１５μｍ範囲の遠赤外線波長を放射する炭素系の可撓性カーボン発熱体又は炭素系線面発熱体が使用され、コントローラーにより３０℃〜５０℃の温度範囲で局所身体に放射することで患部治療を行ってなる遠赤外線局所温熱装置。
【請求項２】
身体の足部から首部までの体型に沿って形成したトルマリン含浸の防水性スーツと、その防水性スーツの胴体周辺の上部から取り付ける事が可能な、前記請求項１記載の遠赤外線局所温熱装置を備えた全身発汗装置。
【手続補正３】
【補正対象書類名】明細書
【補正対象項目名】０００５
【補正方法】変更
【補正の内容】
【０００５】  請求項１の装置は、炭素系カーボン抵抗体で８μｍ〜１５μｍの遠赤外線波長を放射する可撓性カーボン発熱体を身体の胸部、腹部、肩部、腰部を覆う形の巻き付け型構成とし、防水性外皮と表面外皮に内設し、胴部固定は先端を面ファスナーを用い止める。体内への放射熱はコントローラーにより３０℃〜５０℃の温度範囲で局所全面から患部に深達するよう照射させる。
この装置は、細胞を活性化させるとともに４２℃の温度はガン細胞を撲滅する効果と、ガン転移は通常腹部、胸部に多く、その患部の痛みを緩和する効果があり最も有効な温熱治療装置として提供する。
【手続補正４】
【補正対象書類名】明細書
【補正対象項目名】０００６
【補正方法】変更
【補正の内容】
【０００６】  請求項２の装置は、身体の足部から首部までの体型に沿って形成した、防水、保温性繊維スーツを身体に装着した後、スーツの上部から前記請求項１の温熱治療装置を具備し、３０℃〜５０℃の温度を放射させる。この放射温度は身体からの発生熱と共に、身体の足部から首部のスーツ内部を保温させて発汗作用をもたらす装置として提供する。
【手続補正５】
【補正対象書類名】明細書
【補正対象項目名】０００７
【補正方法】削除
【補正の内容】
【手続補正６】
【補正対象書類名】明細書
【補正対象項目名】０００９
【補正方法】変更
【補正の内容】
【０００９】  例えば図１は、座椅子Ｃ利用で防水、保温性繊維スーツの全身発汗装置Ｂを装着し、その上面の胴回りに局所温熱装置Ａが取り付けられている斜面図である。局所温熱装置Ａからの電源コードには、取り外しが簡単にできるジョイントプラグＤからコントローラーＥが取り付けられ末端に電源差し込みプラグＦが取り付けられる。
【手続補正７】
【補正対象書類名】明細書
【補正対象項目名】００１０
【補正方法】変更
【補正の内容】
【００１０】  図２は身体胴部に巻き付け式局所温熱装置Ａの斜面図である。構成は、身体接触面Ｇに防水性繊維を設け表面布地Ｈとの間に可撓性カーボン発熱体が内設されている。腹部中心部には温熱治療器Ａを固定する面ファスナーＩ、Ｋが取り付けられている。更に表面布地Ｈには面ファスナーが先端にとりつけられたベルトＬ、Ｍが具備されている。